(57)【要約】【課題】メンテナンス用携帯端末の使用期限を不正に延長することを防止するセキュリティ機能を備えたメンテナンス用携帯端末装置を実現する。【解決手段】携帯メンテナンス装置に、運行情報要求指令を出力できる使用期限を予め設定した使用期限情報記憶部と、時計部と、運行情報要求指令の出力を行った接続日時を時計部の時刻に基づいて記憶する接続日時記憶部と、接続日時が使用期限内であるとき運行情報要求指令を出力する入出力情報処理部とを備え、被メンテナンス装置に、運行情報を予め記憶した運行情報記憶部と、運行情報要求指令に応じた運行情報を携帯メンテナンス装置へ出力するデータ送受信部とを備え、入出力情報処理部は記憶されている接続日時と現在接続日時との照合の結果、時計部の設定変更により現在接続日時が接続日時よりも過去となっているとき運行情報要求指令の出力を停止する。【選択図】        図１
2004185082.tif 000002
【特許請求の範囲】
【請求項１】
被メンテナンス装置から読み取った運行情報に基づいてメンテナンスを行なう携帯メンテナンス装置に、
被メンテナンス装置の運行情報を読み取るための運行情報要求指令を出力できる使用期限を予め設定した使用期限情報記憶部と、
時計部と、
外部から入力された接続要求に応じて前記被メンテナンス装置に対して運行情報要求指令の出力を行った接続日時を前記時計部の時刻に基づいて記憶する接続日時記憶部と、
前記接続日時が前記使用期限内であるとき前記運行情報要求指令を出力する入出力情報処理部と
を備え、
前記被メンテナンス装置に、
前記運行情報要求指令に応じた被メンテナンス装置の運行情報を予め記憶した運行情報記憶部と、
前記携帯メンテナンス装置により出力された運行情報要求指令に応じた運行情報を前記運行情報記憶部から読み出して前記携帯メンテナンス装置へ出力するデータ送受信部と
を備え、
前記入出力情報処理部は、前記接続日時記憶部に記憶された接続日時と現在の接続要求に基づく現在接続日時との照合の結果、前記時計部の設定変更により前記現在接続日時が前記接続日時よりも過去となっているとき、前記運行情報要求指令の出力を停止する
ことを特徴とするメンテナンス用携帯端末システム。
【請求項２】
請求項１に記載のメンテナンス用携帯端末システムにおいて、
前記携帯メンテナンス装置は、
所定期間内に前記被メンテナンス装置に対して運行情報要求指令の出力を行った接続回数を記憶する接続回数記憶部と、
前記所定期間内に前記被メンテナンス装置対して接続できる接続可能回数を予め記憶し、前記接続回数記憶部に記憶された接続回数が前記接続可能回数を超えたか否かを判断する接続回数処理部と
をさらに備え、
前記入出力情報処理部は、前記接続回数処理部による判断の結果、接続回数が前記接続可能回数を超えているとき前記運行情報要求指令の出力を停止する
ことを特徴とするメンテナンス用携帯端末システム。
【請求項３】
請求項１または２に記載のメンテナンス用携帯端末システムにおいて、
前記携帯メンテナンス装置は、
前記被メンテナンス装置と接続が確立された接続日時と携帯メンテナンス装置固有の識別情報とを対応づけた接続情報を前記接続日時毎に記憶する第１の接続情報記憶部をさらに備え、
前記被メンテナンス装置は、
前記携帯メンテナンス装置により接続される毎に前記接続情報を記憶する第２の接続情報記憶部をさらに備え、
前記入出力情報処理部は、前記第１及び第２の接続情報記憶部に記憶された接続情報を照合し、この照合が一致しないときは前記運行情報要求指令の出力を停止する
ことを特徴とするメンテナンス用携帯端末システム。
【請求項４】
請求項３に記載のメンテナンス用携帯端末システムにおいて、
前記被メンテナンス装置の有する第２の接続情報記憶部を、前記メンテナンス装置と前記被メンテナンス装置とを接続するインターフェースに備えたこと
を特徴とするメンテナンス用携帯端末システム。
【発明の詳細な説明】
【０００１】
【発明の属する技術分野】
この発明は、エレベータ等のビル設備のメンテナンス用携帯端末システムに関し、より詳しくは、メンテナンス用携帯端末の使用期限を不正に延長することを防止するメンテナンス用携帯端末システムに関する。
【０００２】
【従来の技術】
図３は、従来のエレベータにおけるメンテナンス用携帯端末システムの全体構成図である。以下、図３の構成について説明する。
図３において、１はエレベータの運行を制御するエレベータ制御盤、２はエレベータ制御盤１内に設けられたエレベータの起動回数・走行距離等の運行に関する情報を記録しているエレベータ運行情報記憶部、３はエレベータ運行情報記憶部２の情報をデータ変換装置４へ送信する際のデータ送受信を行うデータ送受信部である。
【０００３】
また、４はエレベータ運行情報記憶部２の情報を携帯メンテナンス装置１０にて処理可能な情報へ変換するデータ変換装置（インターフェース）である。
このデータ変換装置４は、エレベータ運行情報記憶部２の情報をデータ送受信部３を介して送受信するデータ送受信部５と、エレベータ運行情報記憶部２の情報を一時的に記録するエレベータデータ記憶部６と、エレベータデータ記憶部６の情報を携帯メンテナンス装置１０にて処理可能な形式に変換する入出力情報処理部７と、入出力情報処理部７により変換されたエレベータデータ記憶部６の情報を記録する携帯装置データ記憶部８と、携帯メンテナンス装置１０との送受信を行うデータ送受信部９により構成されている。
【０００４】
なお、入出力情報処理部７は、携帯装置データ記憶部８のデータをエレベータ側で認識できるデータ形式に変換し、エレベータデータ記憶部６に対する記録も行っている。
【０００５】
また、携帯メンテナンス装置１０は、データ変換装置４を介してエレベータ制御盤１と通信し、エレベータ運行情報記憶部２の情報を表示したり、その他エレベータの様々な情報の変更等を実施する汎用パソコンである。
この携帯メンテナンス装置１０の構成は、データ変換装置４とのデータ送受信を実施するデータ送受信部１１と、データ変換装置４を介して受信したエレベータの情報を記録するエレベータ運行情報記憶部１２と、キーボード等の入力部１５と、ディスプレイ等の表示部１６と、携帯メンテナンス装置１０の使用期限が記録された使用期限情報記憶部１４と、データ送受信部１１、エレベータ運行情報記憶部１２、使用期限情報記憶部１４、および入力部１５と表示部１６とのデータの入出力を行う入出力情報処理部１３からなる。
【０００６】
次に、上記構成からなる従来のメンテナンス用携帯端末システムにおけるエレベータ運行情報を取り出す動作について図４に示したフローチャートに沿って説明する。
はじめに、ステップＳ４０１にて、携帯メンテナンス装置１０の入力部１５より起動回数、走行距離などのエレベータ運行情報を所定の形式にて表示部１６へ表示させる為の要求を行う。
【０００７】
次いで、ステップＳ４０２では、入出力情報処理部１３は入力部１５からの要求情報を受取ると、携帯メンテナンス装置１０の使用期限があるかどうかを判断するため、使用期限情報記憶部１４から使用期限情報（例えば２００２年３月２０日１２：００）を取り出す。
【０００８】
ステップＳ４０３では、入出力情報処理部１３は使用期限内であるか否かを判定するため、取得した使用期限情報と現在日時（例えば２００２年３月１４日１２：００）とを比較し、使用期限情報が現在日時よりも後であれば（上記の例であれば、使用期限があと６日あると判定される）使用期限があると判定して引続き処理を継続し、ステップＳ４０４へ進む。一方、使用期限情報が現在時刻よりも前であれば、処理をそのまま終了する。
【０００９】
ステップＳ４０４では、入力部１５から入力した要求情報がデータ送受信部１１およびデータ送受信部９を介して携帯装置データ記憶部８に記録される。携帯装置データ記憶部８に記録された要求情報は、入出力情報処理部７にてエレベータ制御盤１で認識可能な形式の情報へ変換され、エレベータデータ記憶部６へ記録される。
【００１０】
ステップＳ４０５では、エレベータデータ記憶部６へ記録された要求情報は、データ送受信部５を介してデータ送受信部３へ送信される。データ送受信部３は要求情報を基にエレベータ運行情報をエレベータ運行情報記憶部２から取り出し、データ送受信部５を介してエレベータデータ記憶部６へ折り返して記録される。
【００１１】
ステップＳ４０６では、エレベータデータ記憶部６へ記録されたエレベータ運行情報は、入出力情報処理部７により携帯メンテナンス装置１０で認識可能な形式へ変換され、携帯装置データ記憶部８に記録される。
【００１２】
ステップＳ４０７では、携帯装置データ記憶部８へ記録されたエレベータ運行情報がデータ送受信部９を介してデータ送受信部１１へ送信され、入出力情報処理部１３にてエレベータ運行情報記憶部１２へ記録される。
【００１３】
最後に、ステップＳ４０８では、エレベータ運行情報記憶部１２へ記録されたエレベータ運行情報が入出力情報処理部１３によって所定の形式で表示部１７へ表示される。
【００１４】
【発明が解決しようとする課題】
携帯メンテナンス装置１０及びデータ変換装置４には、ビル設備のメンテナンス会社等のノウハウが盛込まれており、これが第３者の手に渡り利用されることは多大なる損失に繋がる。
【００１５】
例えば、使用可能な状態（使用期限が残っている）の携帯メンテナンス装置１０とデータ変換装置４が盗難・紛失等により第３者の手に渡った場合、携帯メンテナンス装置１０の現在日時の設定を過去の日時に戻すことにより、いつまでも使用期限を越えることがなく、永久的に使用される可能性がある。
【００１６】
また、市販のハードディスクイメージコピーソフトウェアを利用された場合に、使用可能な状態の携帯メンテナンス装置のハードディスクの内容をコピーされることで、やはり永久的に使用される可能性がある。
【００１７】
携帯メンテナンス装置１０は、汎用のパソコンにメンテナンス用のプログラムをインストールして使用しているため、パソコンの日時を過去に戻すことは簡単に出来てしまう。よって、使用期限が２００２年３月１５日１２：００迄であっても、現在日時を常に２００２年３月１５日１２：００以前に戻すことにより使用期限がいつまでも残っていると判断されて永久的に使用されてしまうといった問題があった。
【００１８】
この発明は、以上のような問題を解決するためになされたものであり、メンテナンス用携帯端末の使用期限を不正に延長することを防止するセキュリティ機能により携帯メンテナンス装置およびデータ変換装置が悪用され、ビル設備のメンテナンス会社等のノウハウが不正に流出することを抑制するメンテナンス用携帯端末装置を実現することを目的とする。
【００１９】
【課題を解決するための手段】
この発明に係るメンテナンス用携帯端末システムは、被メンテナンス装置から読み取った運行情報に基づいてメンテナンスを行なう携帯メンテナンス装置に、被メンテナンス装置の運行情報を読み取るための運行情報要求指令を出力できる使用期限を予め設定した使用期限情報記憶部と、時計部と、外部から入力された接続要求に応じて被メンテナンス装置に対して運行情報要求指令の出力を行った接続日時を時計部の時刻に基づいて記憶する接続日時記憶部と、接続日時が使用期限内であるとき運行情報要求指令を出力する入出力情報処理部とを備え、被メンテナンス装置に、運行情報要求指令に応じた被メンテナンス装置の運行情報を予め記憶した運行情報記憶部と、携帯メンテナンス装置により出力された運行情報要求指令に応じた運行情報を運行情報記憶部から読み出して携帯メンテナンス装置へ出力するデータ送受信部とを備え、入出力情報処理部は接続日時記憶部に記憶された接続日時と現在の接続要求に基づく現在接続日時との照合の結果、時計部の設定変更により現在接続日時が接続日時よりも過去となっているとき、運行情報要求指令の出力を停止するものである。
【００２０】
また、携帯メンテナンス装置は、所定期間内に前記被メンテナンス装置に対して運行情報要求指令の出力を行った接続回数を記憶する接続回数記憶部と、所定期間内に被メンテナンス装置対して接続できる接続可能回数を予め記憶し、接続回数記憶部に記憶された接続回数が接続可能回数を超えたか否かを判断する接続回数処理部とをさらに備え、入出力情報処理部は接続回数処理部による判断の結果、接続回数が前記接続可能回数を超えているとき前記運行情報要求指令の出力を停止するものである。
【００２１】
また、携帯メンテナンス装置は、被メンテナンス装置と接続が確立された接続日時と携帯メンテナンス装置固有の識別情報とを対応づけた接続情報を接続日時毎に記憶する第１の接続情報記憶部をさらに備え、被メンテナンス装置は、携帯メンテナンス装置により接続される毎に接続情報を記憶する第２の接続情報記憶部をさらに備え、入出力情報処理部は、第１及び第２の接続情報記憶部に記憶された接続情報を照合し、この照合が一致しないときは運行情報要求指令の出力を停止するものである。
【００２２】
また、被メンテナンス装置の有する第２の接続情報記憶部を、メンテナンス装置と被メンテナンス装置とを接続するインターフェースに備えたものである。
【００２３】
【発明の実施の形態】
実施の形態１．
図１は、この発明の実施の形態１に係るメンテナンス用携帯端末システムの全体構成図を示したものである。なお、各図中、同一符号は同一又は相当部分を示し、その説明は省略する。
【００２４】
携帯メンテナンス装置１０ａは、エレベータ制御盤１（被メンテナンス装置）から読み取った運行情報に基づいてメンテナンスを行なうものであり、運行情報要求指令を出力できる使用期限を予め設定した使用期限情報記憶部１４、外部から現在時刻を設定できる図示しない時計部、外部から入力された接続要求に応じてエレベータ制御盤１に対して上記運行情報要求指令の出力を行った接続日時を時計部の時刻に基づいて記憶する接続日時記憶部１７を有している。この運行情報要求指令はエレベータ制御盤１のエレベータ運行情報記憶部２に予め記憶されたエレベータ制御盤１の運行情報を読み取るための要求指令である。
【００２５】
また、携帯メンテナンス装置１０ａは、１日（所定期間内）にエレベータ制御盤１に対して運行情報要求指令の出力を行った接続回数を記憶する接続回数記憶部１９と、１日（所定期間内）にエレベータ制御盤１に対して接続できる接続可能回数を予め記憶し、接続回数記憶部１９に記憶された接続回数が接続可能回数を超えたか否かを判断する接続回数処理部１８とを備えている。
【００２６】
さらに、携帯メンテナンス装置１０ａは、エレベータ制御盤１と接続が確立された接続日時と、携帯メンテナンス装置固有の識別情報とを対応付けた接続情報を記憶する接続情報記憶部２２、および入出力情報処理部１３ａにおけるエレベータ運行情報の取得に基づいて上記接続情報を接続情報記憶部２２に対して記憶させる接続情報処理部２１を備えている。
【００２７】
一方、データ変換装置４は、携帯メンテナンス装置１０ａとの接続が確立される都度、入出力情報処理部７により接続情報（接続情報記憶部２２と同一情報）が書き込まれる接続情報記憶部２０を備えている。
【００２８】
次に、上記構成における本実施の形態１に係るメンテナンス携帯端末システムの動作について図２のフローチャートを用いて説明する。なお、図２におけるステップＳ２０１〜Ｓ２０３は、従来のメンテナンス携帯端末システムの動作について示した図４のフローチャートにおけるステップＳ４０１〜Ｓ４０３までの動作と同様であり、また、ステップＳ２１３〜Ｓ２１７は、図４のステップＳ４０４〜Ｓ４０８と同様であるためその説明は省略する。
【００２９】
ステップＳ２０３において入力部１５より運行情報要求指令の入力があった接続日時（即ち、現在日時）が使用期限内であると判断された場合、ステップＳ２０４にて、入出力情報処理部１３ａは接続日時記憶部１７から接続日時（前回接続日時の情報）を取り出す。
【００３０】
次いで、ステップＳ２０５では、入出力情報処理部１３ａは既に取り出した接続日時記憶部１７の前回接続日時と現在の接続日時とを対比し、現在接続日時が前回接続日時よりも過去となっている場合には、携帯メンテナンス装置１０ａの時計部における設定日時が意図的に過去へ戻されたと判断して処理を終了する。
【００３１】
一方、現在接続日時が前回接続日時よりも過去となっていないと判断した場合にはステップＳ２０６へ進み、接続回数処理部１８は接続回数記憶部１９に記憶されている所定期間内にエレベータ制御盤１に接続できる接続可能回数を読み取る。さらに、ステップＳ２０７にて、接続回数処理部１８は接続回数が規定値である接続可能回数以内であるかを判断する。
【００３２】
ステップＳ２０７にて、接続回数が接続可能回数内でない場合には使用できる回数を超えていると判断して処理を終了する。一方、接続回数が接続可能回数内である場合にはステップＳ２０８へ進み、接続情報処理部２１は、接続情報記憶部２０と接続情報記憶部２２にそれぞれ記憶されている接続情報を読み取る。
【００３３】
次いで、ステップＳ２０９では、ステップＳ２０８で読み取られた接続情報の照合を行い、両者が一致しているか否かを判定する。一致していない場合には携帯メンテナンス装置１０ａは不正アクセスであると判断し運行情報要求指令の出力を阻止し、処理を終了する。一方、判定の結果が一致している場合にはステップＳ２１０へ進み、接続日時記憶部１７へ現在日時を書き込む。
【００３４】
次いで、ステップＳ２１１では接続回数記憶部１９に記憶されている接続回数を１増加させ、ステップＳ２１２では接続情報記憶部２０、２２に現在日時を含む接続情報をそれぞれ書き込む。その後はステップＳ２１３で運行情報要求指令がデータ変換装置４により変換され、以降は従来の技術と同様にステップＳ２１４〜Ｓ２１６の処理を実施することで、エレベータ制御盤１との通信を行う。
【００３５】
以上のように、本実施の形態１に係るメンテナンス用携帯端末システムによれば、携帯メンテナンス装置１０ａは、エレベータ制御盤１に対して運行情報要求指令の出力を行った接続日時を記憶する接続日時記憶部１７を有し、現在の接続日時が接続日時記憶部１７に記憶されている接続日時よりも過去であるとき入出力情報処理部１３ａは運行情報要求指令の出力を停止するため、出力日時の設定を接続日時記憶部１７に記憶されている出力日時よりも過去に変更することによる使用期限の不正な延長を防止することができる。
【００３６】
また、携帯メンテナンス装置１０ａは所定の期間内にエレベータ制御盤１に対して運行情報要求指令の出力を行った接続回数を記憶する接続回数記憶部１９と、所定期間内にエレベータ制御盤１対して接続できる接続可能回数を予め記憶し、接続回数記憶部１９に記憶された接続回数が接続可能回数を超えたか否かを判断する接続回数処理部１８とをさらに備え、入出力情報処理部１３ａは接続回数処理部１８による判断の結果、接続回数が接続可能回数を超えているとき運行情報要求指令の出力を停止するため、所定回数以上のエレベータ制御盤１に対する接続を防ぐことができる。
【００３７】
また、携帯メンテナンス装置１０ａはエレベータ制御盤１と接続が確立された接続日時と携帯メンテナンス装置固有の識別情報とを対応づけた接続情報を接続日時毎に記憶する接続情報記憶部２２をさらに有し、エレベータ制御盤１は携帯メンテナンス装置１０ａにより接続される毎に接続情報を記憶する接続情報記憶部２０をさらに備え、入出力情報処理部１３ａは接続情報記憶部２０，２２に記憶された接続情報を照合し、この照合が一致しないときは運行情報要求指令の出力を停止するため、使用期限が切れていたり、接続回数が接続可能回数を超えて使用不可能となっている携帯メンテナンス装置に対して正規の携帯メンテナンス装置１０ａからハードディスクの内容を不正にコピーしてエレベータ制御盤１に接続した場合に、接続情報が不一致となるので不正にハードディスクをコピーした携帯メンテナンス装置によるエレベータ制御盤１への接続を防止できる。
【００３８】
なお、本実施の形態１では、エレベータ制御盤１とデータ変換装置４を別個の構成として説明したが、これに限るものではなく、エレベータ制御盤１内にデータ変換装置４を含む構成としても同様の効果を得ることができる。
【００３９】
【発明の効果】
この発明に係るメンテナンス用携帯端末システムによれば、携帯メンテナンス装置は被メンテナンス装置に対して運行情報要求指令の出力を行った接続日時を記憶する接続日時記憶部と、現在接続日時が接続日時記憶部に記憶されている接続日時よりも過去であるとき運行情報要求指令の出力を停止する入出力情報処理部とを備えたため、出力日時の設定を接続日時記憶部に記憶されている出力日時よりも過去に変更することにより使用期限を不正に延長することを防止できる。
【図面の簡単な説明】
【図１】この発明のメンテナンス用携帯端末システムの全体構成図である。
【図２】この発明のメンテナンス用携帯端末システムにおける動作を示すフローチャートである。
【図３】従来技術のメンテナンス用携帯端末システムの全体構成図である。
【図４】従来技術のメンテナンス用携帯端末システムにおける動作を示すフローチャートである。
【符号の説明】
１  エレベータ制御盤（被メンテナンス装置）、２  エレベータ運行情報記憶部（運行情報記憶部）、３  データ送受信部、４  データ変換装置、５  データ送受信部、６  エレベータデータ記憶部、７  入出力情報処理部、８  携帯装置データ記憶部、９  データ送受信部、１０，１０ａ  携帯メンテナンス装置、１１  データ送受信部、１２  エレベータ運行情報記憶部、１３，１３ａ  入出力情報処理部、１４  使用期限情報記憶部、１５  入力部、１６  表示部、１７  接続日時記憶部、１８  接続回数処理部、１９  接続回数記憶部、２０  接続情報記憶部、２１  接続情報処理部、２２  接続情報記憶部。
【図１】
2004185082.tif 000003
【図２】
2004185082.tif 000004
【図３】
2004185082.tif 000005
【図４】
2004185082.tif 000006